(57)【要約】      （修正有）【課題】ランプ本体両端に暗影が発生することを避け、発光効果を高めることができるＬＥＤランプを提供する。【解決手段】本ＬＥＤランプは、ランプ本体と、ランプ本体内に位置するＬＥＤストリップ２と、ランプ本体の両端に設けられたプラグモジュールと、前記ＬＥＤストリップと前記プラグモジュールを電気的に接続する駆動電源とを有し、前記ランプ本体は互いに接続された放熱カバー１１と透光カバー１２を備え、前記ＬＥＤストリップはランプパネル２１及びランプパネルの長さ方向に沿って設置された複数のＬＥＤ２２を備え、前記ランプパネルの両端に設けられたＬＥＤは傾斜で且つ前記駆動電源まで照射できる発光面を有する。【選択図】図２
0003165134.tif 000002
【実用新案登録請求の範囲】
【請求項１】
ランプ本体と、ランプ本体内に位置するＬＥＤストリップと、ランプ本体の両端に設けられたプラグモジュールと、前記ＬＥＤストリップと前記プラグモジュールを電気的に接続する駆動電源とを有し、前記ランプ本体は互いに接続された放熱カバーと透光カバーを備え、前記ＬＥＤストリップはランプパネル及びランプパネルの長さ方向に沿って設置された複数のＬＥＤを備えるＬＥＤランプにおいて、
前記ランプパネルの両端に設けられたＬＥＤは傾斜で且つ前記駆動電源まで照射できる発光面を有することを特徴とするＬＥＤランプ。
【請求項２】
前記ランプパネルの両端に設けられたＬＥＤは菱形状をなし、傾斜或いは垂直となるように前記ランプパネルに溶接されていることを特徴とする請求項１に記載のＬＥＤランプ。
【請求項３】
前記ランプパネルの両端に設けられたＬＥＤは長方形状をなし、傾斜するように前記ランプパネルに溶接されていることを特徴とする請求項１に記載のＬＥＤランプ。
【請求項４】
前記駆動電源は熱伝導絶縁ケース内に設けられ、前記放熱カバーの両端には前記熱伝導絶縁ケースを置くための溝を具備することを特徴とする請求項１〜請求項３の何れか１つに記載のＬＥＤランプ。
【請求項５】
前記熱伝導絶縁ケース内には熱伝導シリコーンが取り付けられていることを特徴とする請求項４に記載のＬＥＤランプ。
【請求項６】
前記プラグモジュールは、プラグと、前記プラグを貫通し且つ前記駆動電源と電気的に接続されたピンとを含み、前記放熱カバーの軸方向の端面には前記プラグと対応するねじ穴が開設され、前記ねじ穴にねじ込まれたねじによりプラグと前記放熱カバーが固定され、前記プラグのねじ穴の外側にはさらに保護カバーが覆われていることを特徴とする請求項４に記載のＬＥＤランプ。
【考案の詳細な説明】
【技術分野】
【０００１】
本考案は、照明技術分野に関し、具体的には、ＬＥＤランプに関する。
【背景技術】
【０００２】
ＬＥＤランプは１つの新規光源として、体積が小さく、電気消耗が少なく、適用性が強く、安定性が高く、応答時間が短く、環境に汚染がなく、色が豊富である等の利点があり、照明装飾分野に広く応用されている。大電力のＬＥＤを光源とするランプは、発光効率が高く、省エネルギー、環境に優しい利点がある。しかしながら、従来技術における蛍光灯は、廃棄後に水銀汚染を発生し易いため、従来技術における蛍光灯の代りに、ＬＥＤランプを使うのが緊急になっている。従来技術におけるＬＥＤランプはランプ本体と、ランプ本体の両端に設置されたプラグと、ランプ本体内に設置されたＬＥＤストリップと、プラグ内におけるランプピンとＬＥＤストリップとの間に接続された駆動電源からなり、上記ランプ本体は放熱カバーと透光カバーから組成されている。現在、駆動電源の設置については、業界には主に、１つは駆動電源を放熱カバーとＬＥＤストリップとの間に設置する方式と、他の１つは駆動電源をＬＥＤストリップの両端に設置する方式の、この２つの方式がある。方式１におけるＬＥＤランプを採用すると、その欠陥はＬＥＤスポットが明らかで、安全係数が低い。且つ方式２におけるＬＥＤランプの欠陥は、ＬＥＤランプの両端に暗影があり、安全係数が低い。
【０００３】
なお、ＬＥＤランプが動作するとき、大量の熱量が発生し、従来技術におけるＬＥＤランプには放熱が悪い問題が存在し、熱量が大量に蓄積すると、駆動電源又はＬＥＤランプを焼いて破壊する可能性があって、潜在的な安全上の問題が存在する。
【考案の概要】
【考案が解決しようとする課題】
【０００４】
本考案は、従来技術の上記欠陥を鑑みて、現有のＬＥＤランプに対して改進して、ＬＥＤランプにおける暗影を無くし、その発光効果を高めるＬＥＤランプを提供することを目的とする。
【課題を解決するための手段】
【０００５】
上記技術課題を解決するため、本考案のＬＥＤランプは、ランプ本体と、ランプ本体内に位置するＬＥＤストリップと、ランプ本体の両端に設けられたプラグモジュールと、前記ＬＥＤストリップと前記プラグモジュールを電気的に接続する駆動電源とを有し、前記ランプ本体は互いに接続された放熱カバーと透光カバーを備え、前記ＬＥＤストリップはランプパネル及びランプパネルの長さ方向に沿って設置された複数のＬＥＤを備え、前記ランプパネルの両端に設けられたＬＥＤは傾斜で且つ前記駆動電源まで照射できる発光面を有する。
【０００６】
さらに、前記ランプパネルの両端に設けられたＬＥＤは菱形状をなし、傾斜或いは垂直となるように前記ランプパネルに溶接されている。
【０００７】
或いは、前記ランプパネルの両端に設けられたＬＥＤは長方形状をなし、傾斜するように前記ランプパネルに溶接されている。
【０００８】
さらに、前記駆動電源は熱伝導絶縁ケース内に設けられ、前記放熱カバーの両端には前記熱伝導絶縁ケースを置くための溝を具備する。
【０００９】
さらに、前記熱伝導絶縁ケース内には熱伝導シリコーンが取り付けられている。
【００１０】
具体的に、前記プラグモジュールは、プラグと、前記プラグに穿設され且つ前記駆動電源と電気的に接続されたピンとを含み、前記放熱カバーの軸方向の端面には前記プラグに対応してねじ穴が開設され、前記ねじ穴にねじ込まれたねじによりプラグと前記放熱カバーを固定し、前記プラグのねじ穴の外側はさらに保護カバーで覆われている。
【考案の効果】
【００１１】
本考案のＬＥＤランプによれば、ランプパネルの両端に設けられたＬＥＤは傾斜した発光面を有するため、これにより両端のＬＥＤ灯光がランプ本体両端の駆動電源に照射することができ、駆動電源の設置によりランプ本体両端に暗影が発生することを避け、ＬＥＤランプの発光効果を高めることができる。
【図面の簡単な説明】
【００１２】
【図１】本考案の実施例におけるＬＥＤランプの立体構造を示す。
【図２】本考案の実施例におけるＬＥＤランプの分解構造を示す。
【図３】本考案の実施例におけるＬＥＤストリップの構造を示す。
【図４】図２におけるＡ部位の拡大図である。
【図５】図２におけるＢ部位の拡大図である。
【図６】本考案の実施例におけるプラグモジュールの分解構造を示す。
【考案を実施するための形態】
【００１３】
以下、本考案の解決しようとする課題、技術内容及び効果を更に明確にするために、図面と実施例を合わせて、本考案について更に詳しく説明する。理解すべきものは、ここで記載された具体的な実施例はただ本考案を解釈するためであり、本考案を限定することではない。
【００１４】
図１、図２は、本考案におけるＬＥＤランプの構造を示す。上記ＬＥＤランプは、ランプ本体１と、ランプ本体１内に位置するＬＥＤストリップ２と、ランプ本体１の両端に設けられたプラグモジュール３と、上記ＬＥＤストリップ２と上記プラグモジュール３を電気的に接続する駆動電源（図示しない）とを有し、上記ランプ本体１は互いに接続された放熱カバー１１と透光カバー１２を備え、上記ＬＥＤストリップ２はランプパネル２１及びランプパネル２１の長さ方向に沿って設置されたＬＥＤ２２を備え、上記ランプパネル２１の両端に設けられたＬＥＤ２２は傾斜で且つ上記ランプ本体１の両端まで照射できる発光面を有する。
【００１５】
本考案のＬＥＤランプにおいて、ランプパネル２１の両端に設けられたＬＥＤ２２は傾斜した発光面を有し、これにより両端ＬＥＤ２２の灯光はランプ本体１の両端の駆動電源に照射でき、駆動電源の設置によりランプ本体の両端に暗影を産生することを避け、ＬＥＤランプの発光効果を高める。
【００１６】
図２および図３に示すように、上記ランプパネル２１はシリコーン膜を介して放熱カバー１１の内側に貼り付けられている。シリコーン膜の伝熱係数は４−５の間であり、伝熱と絶縁の二重機能を具備する。ランプパネル２１を放熱カバー１１に貼り付けることによって、ランプパネル２１の上でその長さ方向に配列されたＬＥＤ２２が発出する熱量を、均一で迅速に放熱カバー１１に伝導させることができ、効果的にＬＥＤ２２及びランプ本体１を保護して、その使用寿命を延長することができる。
【００１７】
本実施例において、駆動電源（図示しない）は上記ランプ本体１の両端に設けられ、且つＬＥＤストリップ２とプラグモジュール３を接続する。駆動電源がランプ本体１の両端に設けられたので、従来のＬＥＤランプにおいて、設置されたＬＥＤランプは駆動電源に照射できなくて、駆動電源の箇所で暗影を形成させ、照明効果に影響を与えていた。本実施例において、ランプパネル２１の両端に設けられたＬＥＤ２２は菱形状をなし、傾斜するように上記ランプパネル２１に溶接されている。同時に、照射効果を更に高めるために、上記ランプパネル２１の両端にはそれぞれ二つの菱形状のＬＥＤ２２が設置され、この二つの菱形状のＬＥＤ２２は径方向にランプパネル２１上に配列され、照射範囲がより大きい。これらの傾斜設置を採用して、菱形状のＬＥＤ２２の発光面が直接にランプ本体１の両端の駆動電源に照射できるようにする。このようにして、全体のストリップ２の発光過程で、ストリップ２における他のＬＥＤ２２が発光する光は軸方向にランプ本体１に照射され、その両端の透光カバー１２を照明されると同時に、ストリップ２の両端に設置された菱形状のＬＥＤ２２が発出した光は直接に駆動電源に照射され、一部は駆動電源を照射して暗影を産生しないようにすると同時に、他の一部は駆動電源を経て透光カバー１２に反射され、さらに両端の透光カバー１２の発光強さを増加させ、このときＬＥＤランプの発光効果はよりよくなり、両端には暗影が出現しなくなる。
【００１８】
菱形状のＬＥＤ２２自身の発光面は曲面構造であるため、その曲面発光面が照射要求を満足するとき、上記菱形状のＬＥＤ２２は傾斜溶接方式を採用しなくて、直接にランプパネル２１に溶接されてもよい。
【００１９】
もちろん、ランプパネル２１の両端に設けられたＬＥＤ２２は他の形状にすることも可能であって、例えば長方形であり、長方形状のＬＥＤ２２を上記ランプパネル２１に傾斜して溶接することができ、その傾斜の角は実際の駆動電源の形状等の要素によって確定する。このようにして、傾斜して設置された長方形状のＬＥＤ２２も直接に駆動電源の発光面に照射する発光面を有して、両端の駆動電源を遮ることによって暗影が産生することを防止し、ＬＥＤランプの発光効果を高めることができる。
【００２０】
本実施例において、上記ランプ本体１の分解と組み立てを簡単にするため、上記放熱カバー１１と透光カバー１２は係合構造を採用する。図４に示すように、上記放熱カバー１１の断面はＣ字状構造をなし、上記放熱カバー１１のＣ字状構造開口の外壁両側にはそれぞれ軸方向にスロット１１１を設置される。図５に示すように、上記透光カバー１２の断面もＣ字状構造をなし、上記透光カバー１２のＣ字状構造開口の内壁両側には、上記スロット１１１にそれぞれ係合するように内を向かってそれぞれ曲げたリブ１２１が形成されている。上記ランプ本体１の放熱カバー１１及び透光カバー１２の接続構造もただ上記構造ではなく、他の分解が易い且つ接続が確実な取り付け構造を採用することができる。
【００２１】
具体的には、図４に示すように、本実施例において、上記放熱カバー１１の外壁にはその軸線と平行する鰭式放熱フィレット１１２が均一に設置されている。上記放熱カバー１１の両端には下を向けて凹んだ溝１１３を有する。上記放熱カバー１１の軸方向の端面にはねじ穴１１４が開設されている。本実施例において、上記放熱カバー１１は伝熱能力のよいセラミックス材料で作れ、もちろん他の伝熱能力のよい材料、例えばアルミニウムを採用して作ることができる。
【００２２】
具体的には、上記透光カバー１２はＰＣ（Ｐｏｌｙｃａｒｂｏｎａｔｅ、ポリカーボネート）光拡散材料を採用して作れ、これらの材料を採用すると、光線拡散効果がよい、ランプ本体１の外面からＬＥＤスポットが見えないし、ライト効果が均一で、照明効果がよりよくなる。
【００２３】
さらに、ＬＥＤランプの相関安全規定に符合し、駆動電源が働くとき集めて蓄えた熱量によって焼いて破壊されることを避け、安全性を高めるために、本実施例において、駆動電源を熱伝導絶縁ケース４内に設置し、上記熱伝導絶縁ケース４を上記放熱カバー１１の両端の溝１１３内に置かれる。このようにして、駆動回路内の熱量は熱伝導絶縁ケース４を介して迅速に放熱カバー１１に伝導し、放熱カバー１１によって熱量を空気の中に放熱する。さらに、熱量伝導効果を補強するために、本実施例おいて、上記熱伝導絶縁ケース４内には熱伝導シリコーン（図示しない）がさらに取り付けられている。同時に、熱伝導絶縁ケース４を採用して、ランプ本体１の外部の任意の点での高圧テストを行ったところ、すべてがパスでき、安全かつ信頼性が高い。
【００２４】
具体的に、図２、図６に示すように、上記プラグモジュール３はプラグ３１と、上記プラグ３１に穿設され上記駆動電源と電気的に接続されたピン３２とを含み、上記プラグ３１には上記放熱カバー１１のねじ穴１１４と対応するねじ穴３１１が開設され、上記ねじ穴１１４及びねじ穴３１１内にねじ込まれたねじ５によって、プラグ３１と放熱カバー１１との接続を実現する。同時に、接続ときの全体感を保持するために、上記プラグ３１のねじ穴３１１の外側にはさらにねじ５を覆う保護カバー６が設置されている。このようにして、保護カバー６とプラグが一体になって、美観的にもいい。
【００２５】
以上に鑑みて、本考案において、ランプパネル２１の両端に設けられたＬＥＤを傾斜して設置し若しくは曲面発光面を有するＬＥＤを採用することによって、ＬＥＤが傾斜で直接にランプ本体１の両端に照射できる発光面を有するようにして、両端の駆動電源を遮ることによって暗影が産生することを防止し、ＬＥＤランプの発光効率を高めた。なお、駆動電源外に熱伝導絶縁ケース４を設置して、駆動電源の放熱効率を加速し、且つランプ本体１外部の任意点で高圧テストを行ってもすべてがパスでき、安全かつ信頼性が高い。
【００２６】
上記説明は、ただ本考案の優先的な実施形態であり、本考案を限定せず、本考案の思想と原則内で作られた如何なる補正、等価置換及び改進などは、すべて本考案の保護範囲内に含まれるべきである。
【図１】
0003165134.tif 000003
【図２】
0003165134.tif 000004
【図３】
0003165134.tif 000005
【図４】
0003165134.tif 000006
【図５】
0003165134.tif 000007
【図６】
0003165134.tif 000008